(57)【要約】      （修正有）【課題】製造工程が簡単かつ迅速であり、歩留まりが高くてコストが低いタッチコントローラーを提供する。【解決手段】透光性基板２０、辺縁層３０および複数の感応線４０を備える。透光性基板２０は相互に対応する表面２１および背面２２を有する。辺縁層３０は透光性基板２０の表面２１の辺縁部２３に被さり、かつ絶縁材からなる本体３２および複数の導線３９を有する。本体３２は下方に位置する第一表面３３、上方に位置する第二表面３４および複数の格納溝３５を有する。第一表面３３は透光性基板２０の表面２１に付着する。第二表面３４は第一表面３３に平行である。格納溝３５は第二表面３５を陥没させることによって形成される。導線３９は格納溝３５内に充填される。感応線４０は透光性基板２０の表面２１に分布し、複数の導電３９のうちの一つに電気的に接続される。【選択図】図２
0003193827.tif 000002
【実用新案登録請求の範囲】
【請求項１】
透光性基板、辺縁層および複数の感応線を備え、
前記透光性基板はガラスまたは高分子材料から製作され、相互に対応する表面および背面を有し、
前記辺縁層は、前記透光性基板の前記表面の少なくとも一つの辺縁部に被さり、かつ絶縁材からなる本体および複数の導線を有し、前記本体は下方に位置する第一表面、上方に位置する第二表面および複数の格納溝を有し、前記第一表面は前記透光性基板の前記表面に付着し、前記第二表面は前記第一表面に平行であり、前記格納溝は前記第二表面を陥没させることによって形成され、前記導線は前記格納溝内に充填され、
前記感応線は、前記透光性基板の前記表面に分布し、複数の前記導電のうちの一つに電気的に接続されることを特徴とするタッチコントローラー。
【請求項２】
前記辺縁層の前記本体は、前記格納溝を完全には通らせないことを特徴する請求項１に記載のタッチコントローラー。
【請求項３】
前記辺縁層の前記本体は、前記格納溝を通らせ、前記導線は前記基板の前記表面に付着することを特徴する請求項１に記載のタッチコントローラー。
【請求項４】
前記格納溝は、狭溝部および広溝部を有し、前記導線は、狭線部および接続部を有し、前記狭線部は前記狭溝部に嵌め込まれ、前記接続部は前記広溝部の周壁面に被さり、前記感応線は一端が前記格納溝の前記広溝部に格納され、かつ前記導線の前記接続部に接続されることを特徴する請求項１に記載のタッチコントローラー。
【請求項５】
前記格納溝の前記広溝部は、前記辺縁層の前記本体を貫通せず、前記導線の前記接続部は前記広溝部の壁面および底部壁面に被さることを特徴する請求項４に記載のタッチコントローラー。
【請求項６】
前記格納溝の前記広溝部は、前記辺縁層の前記本体を貫通し、前記導線の前記接続部は前記広溝部の前記壁面に被さり、かつ前記透光性基板の前記表面に付着することを特徴する請求項４に記載のタッチコントローラー。
【請求項７】
前記辺縁層は、前記感応線を囲むように前記透光性基板の周辺に配置されることを特徴する請求項１に記載のタッチコントローラー。
【請求項８】
前記辺縁層の前記本体は、遮光性材料から製作されることを特徴する請求項１に記載のタッチコントローラー。
【請求項９】
前記感応線は、透光性材料から製作されることを特徴する請求項１に記載のタッチコントローラー。
【考案の詳細な説明】
【技術分野】
【０００１】
本考案は、タッチパネル装置、特に製造工程が簡単かつ迅速であり、歩留まりが高くてコストが低いタッチコントローラーに関するものである。
【背景技術】
【０００２】
従来のタッチコントローラーの製造工程は、スクリーン印刷法に基づいて透明基板に遮光用ブラックマトリクス（Black Matrix）を形成し、そののちスパッタリング法に基づいて基板表面のブラックマトリクスに囲まれた部位にインジウムスズ酸化物（ＩＴＯ）をパターン化させ、透明導電膜を形成し、感応回路を構成することである。ブラックマトリクスの厚さが透明導電膜の厚さより大きいため、ブラックマトリクスに囲まれた部位およびブラックマトリクスに透明導電膜成形を連続的に処理するには、予めスパッタリング法に基づいてブラックマトリクスと基板との間に二酸化ケイ素を充填し、落差を解消することが必要である。続いて、ブラックマトリクスに一層の銀ペーストを塗布し、そののち、レーザーカット加工によって銀ペーストをパターン化させ、回路を形成する。銀ペースト回路は感応線の電気的変化をマクロプロセッサーに電気的に伝達する。
【０００３】
上述したタッチコントローラーの製造工程は非常に複雑である。そのうちのスパッタリング工程は費用が高いだけでなく、大型の真空設備が必要である。一方、銀ペーストの層にレーザーカット加工を行う際、下方のブラックマトリクスに傷を付けることがよくあるだけでなく、カット加工に伴って銀ペーストの屑を吹き飛ばし、透明導電膜を汚染するという事態が起こりやすいため、製造ラインにおいての歩留まりを高め、製造コストを削減することができない。
【考案の概要】
【考案が解決しようとする課題】
【０００４】
本考案は、製造工程が簡単かつ迅速であり、歩留まりが高くてコストが低いタッチコントローラーを提供することを主な目的とする。
【課題を解決するための手段】
【０００５】
上述の目的を達成するために、本考案によるタッチコントローラーは、透光性基板、辺縁層および複数の感応線を備える。透光性基板はガラスまたは高分子材料から製作され、相互に対応する表面および背面を有する。辺縁層は透光性基板の表面の少なくとも一つの辺縁部に被さり、かつ絶縁材からなる本体および複数の導線を有する。本体は下方に位置する第一表面、上方に位置する第二表面および複数の格納溝を有する。第一表面は透光性基板の表面に付着する。第二表面は第一表面に平行である。格納溝は第二表面を陥没させることによって形成される。導線は格納溝内に充填される。感応線は透光性基板の表面に分布し、複数の導電のうちの一つに電気的に接続される。
【０００６】
上述した構造により、本考案によるタッチコントローラーは、インクジェットプリント法またはスクリーン印刷法に基づいて辺縁層および感応線を形成することができるため、銀ペーストによる汚染問題がなく、かつ製造工程が簡単かつ迅速であるだけでなく、歩留まりが高くコストが低い。
【図面の簡単な説明】
【０００７】
【図１】本考案の第１実施形態によるタッチコントローラーを示す平面図である。
【図２】図１中の２−２線に沿った断面図である。
【図３】本考案の第１実施形態によるタッチコントローラーの一部分を示す平面図である。
【図４】図３中の４−４線に沿った断面図である。
【図５】図３中の５−５線に沿った断面図である。
【考案を実施するための形態】
【０００８】
以下、本考案によるタッチコントローラーを図面に基づいて説明する。
（第１実施形態）
図１および図２に示すように、本考案の第１実施形態によるタッチコントローラー１０は、透光性基板２０、辺縁層３０および複数の感応線４０を備える。
【０００９】
透光性基板２０は、ガラスまたは高分子材料から製作され、特に透光率が高ければ高いほど好ましい。高分子材料はポリエチレンテレフタレート(Polyethylene Terephthalate,ＰＥＴ)、ポリカーボネート(Polycarbonate,ＰＣ)、ポリエチレン(Polyethylene,ＰＥ)、ポリ塩化ビニル(Polyvinyl Chloride, ＰＶＣ)、ポリプロピレン(Polypropylene,ＰＰ)、ポリスチレン(Polystyrene,ＰＳ)、ポリメタクリル酸メチル樹脂(Polymethylmethacrylate,ＰＭＭＡ)などである。透光性基板２０は相互に対応する表面２１および背面２２を有する。
【００１０】
辺縁層３０は、インクジェットプリント法またはスクリーン印刷法に基づいて透光性基板２０の表面２１の四つの辺縁部２３または外側の部位に被さり、厚さが５μｍであり、かつ絶縁材からなる本体３２および複数の導線３９を有する。本体３２の材質はエポキシ樹脂、ポリメタクリル酸メチル樹脂(ＰＭＭＡ)などの高分子材料である。それらにトナーなどの遮光性物質を添加すれば辺縁層３０に遮光機能を持たせることができる。本体３２は下方に位置する第一表面３３、上方に位置する第二表面３４および複数の格納溝３５を有する。第一表面３３は透光性基板２０の表面２１に付着する。第二表面３４は第一表面３３に平行である。格納溝３５はレーザー加工またはエッチング加工によって本体３２を刻む、即ち本体３２の第二表面３４を陥没させることによって形成され、そのラインの最小距離が１０μｍまたはそれより小さい。格納溝３５は透光性基板２０の二つの辺縁部２３に沿って平行に配列され、一部の格納溝３５１が本体３２を貫通し、一部の格納溝３５２が本体３２を貫通しない。図３に示すように、一部の格納溝３５３は狭溝部３６のみを有し、別の格納溝３５４は狭溝部３６および広溝部３７を有する。広溝部３７は辺縁層３０の内側に位置付けられ、かつ狭溝部３６に繋がる。広溝部３７の幅が狭溝部３６の幅より大きい。本実施形態において、同じ格納溝３５は狭溝部３６および広溝部３７のいずれも本体３２を貫通するか、本体３２を貫通しなくてもよい。或いは、二つのうちの一つが本体３２を貫通すれば別の一つが本体３２を貫通しなくてもよい。
【００１１】
上述した記載において、上方および下方は図２の視線方向に基づいて定義される。つまり、図２の上方は上方、図２の下方は下方と定義される。導線３９は格納溝３５内に充填される。導線３９は銅、銅合金、銀、銀合金または別の導電性材料から製作される。導線３９は格納溝３５に充満するように充填されても、部分的に充填されてもよい。本体３２を貫通した格納溝３５１内の導線３９は透光性基板２０の表面２１に付着してもよい。本実施形態において、導線３９は化学蒸着工程またはめっき工程によって格納溝３５の壁面（底部壁面があれば壁面および底部壁面）に形成されてもよい。格納溝３５の狭溝部３６の幅が比較的小さいため、導線３９を狭溝部３６内に充満させることができる。それに対し、格納溝３５４の広溝部３７の幅が比較的大きいため、広溝部３７が本体３２を貫通するように形成されれば、導線３９は広溝部３７に充満せず、広溝部３７の三辺の壁面３７１のみに分布する。図３および図４に示すように、全体構造において、導線３９は狭線部３９１および接続部３９２を有する。狭線部３９１は狭溝部３６に嵌め込まれ、接続部３９２は広溝部３７の周壁面に被さる。本実施形態において、接続部３９２は広溝部３７の三辺の壁面３７１に被さり、かつ透光性基板２０の表面２１に付着する。別の実施形態において、広溝部３７は別の形を呈する。その周壁面は三辺の壁面からなるとは限らない。
【００１２】
一方、広溝部３７は本体３２を貫通しない。導線３９は広溝部３７に充満せず、広溝部３７の三辺の壁面３７１および底部壁面３７２に分布する。図３および図５に示すように、全体構造において、導線３９の接続部３９２は広溝部３７の壁面３７１および底部壁面３７２、即ち広溝部３７の周壁面に被さるが、これに限らない。別の実施形態において、広溝部３７の周壁面は壁面または底部壁面がない半錐状などの別の形を呈する。
【００１３】
図３に示すように、格納溝３５３は広溝部３７が配置されないのに対し、導線３９は狭線部と接続部を分割する必要がない。
【００１４】
本実施形態において、辺縁層３０は透光性基板２０の四辺に配置されることでフレームを構成するが、これに限らない。辺縁層３０が透光性基板２０の少なくとも一つの辺縁部２３に被さりさえすればよい。
【００１５】
感応線４０は、インクジェットプリント法またはスクリーン印刷法に基づいて透光性基板２０の表面２１かつ辺縁層３０に囲まれた区域に分布する。感応線４０は相互に平行し、かつ所定のパターン（例えば菱形、円形または不規則な形）を呈する。感応線４０は透光性材料、例えばインジウムスズ酸化物（ＩＴＯ）または導電性高分子材料、例えばＰＥＤＯＴ(Polyethylene Dihydroxythiophene)から製作され、かつ複数の導電３９のうちの一つに電気的に接続される。感応線４０の製造工程は辺縁層３０の製造工程の後であるため、図３から図５に示すように、感応線４０は一端が水平方向に沿って格納溝３５の広溝部３７に入り込み、導線３９の接続部３９２に接続され、かつ図５に示すように、広溝部３７の底部壁面３７２に位置する導線３９の接続部３９２に垂直方向に沿って被さる。一方、図２に示すように、広溝部３７がない格納溝部３５３に対し、感応線４０は一端が導線３９の一端に接続される。上述した構造により、ユーザーがタッチコントローラーを操作する際、感応線４０の静電容量などの電気的変化は導線３９によって伝送される。
【００１６】
本実施形態において、感応線４０は図１の左右方向に沿って伸び、導電３９は辺縁層３０の右側および頂面に分布する。この技術領域において常識がある人ならば、本考案の精神に基づいて、別の一枚の透光性基板に感応線を形成し、かつ図１の上下方向に沿って伸ばし、そののち辺縁層の下側、左側および頂面に導線を形成し、続いてその二枚の基板を重ねるとタッチコントローラーのセンサー全体を一つにまとめることができる。またブラックマトリクス（Black Matrix）を有する保護フィルムを表面に被せ、ブラックマトリクスの位置を辺縁層に対応させ、それに導電と接続するマイクロプロセッサーを配置すると、タッチコントローラーのモジュールを成形することができる。一方、二つの透光性基板の辺縁層の格納溝のいずれも本体を貫通せず、本体がトナーなどの遮光性物質を含有すれば、本体はブラックマトリクスの機能を果たすことができるため、上述の保護フィルムを省略してもよい。
【００１７】
本考案によるタッチコントローラーは、インクジェットプリント法、スクリーン印刷法、レーザーカット加工、化学蒸着法などの工程によって製作されるため、製造工程が簡単かつ迅速であり、高価なスパッタリング設備が必要でなく、基板を汚染する銀ペーストの屑を発生することがないだけでなく、歩留まりを高め、コストを大幅に削減することができる。また周知のブラックマトリクスの材料を辺縁層に使用すれば、辺縁層に遮光効果を持たせ、タッチコントローラーのモジュールの構造を簡単化し、コストを下げることができる。従って、本考案によるタッチコントローラーは極めて大きい市場潜在力を有する。
【符号の説明】
【００１８】
１０：タッチコントローラー、
２０：透光性基板、
２１：表面、
２２：背面、
２３：辺縁部、
３０：辺縁層、
３２：本体、
３３：第一表面、
３４：第二表面、
３５：格納溝、
３５１、３５２、３５３、３５４：格納溝、
３６：狭溝部、
３７：広溝部
３７１：壁面、
３７２：底部壁面、
３９：導線、
３９１：狭線部、
３９２：接続部、
４０：感応線
【図２】
0003193827.tif 000003
【図３】
0003193827.tif 000004
【図４】
0003193827.tif 000005
【図５】
0003193827.tif 000006
【図１】
0003193827.tif 000007